(57)【要約】      （修正有）【課題】枠体とパネル体との隙間が閉塞されており、且つ、取り付け時に枠体にパネル体を安定的に支持でき、枠体へのパネル体の取付作業及びパネル体の交換作業が通常と比較して増加しないガードフェンスを提供する。【解決手段】ガードフェンス１０は、複数の縦材１と複数の横材２とから構成され、内側部に正面視で２本の縦材１と２本の横材２とで囲まれた矩形状の空間を少なくとも１つ有する枠体３と、正面視で矩形状のパネル体４とを備える。空間を囲む２本の縦材１及び横材２には、それぞれ、長手方向に沿って延在し、当該空間側に向けて突出するように縦取付片６及び横取付片７が溶接されている。正面視で、縦取付片６及び横取付片７の延在する方向に亘って縦取付片６及び横取付片７とパネル体４の外周部とが当接している部分において、縦取付片６及び横取付片７はパネル体４と締結ボルト８及び締結ナットによって固定されている。【選択図】図１
0003200684.tif 000002
【実用新案登録請求の範囲】
【請求項１】
複数の上下方向に延びる金属製の縦材と、前記複数の縦材の間を左右方向に亘るように固定された複数の金属製の横材とから構成され、内側部に正面視で２本の前記縦材と２本の前記横材とで囲まれた矩形状の空間を少なくとも１つ有する枠体と、
正面視で矩形状のパネル体と、
前記空間を囲む前記２本の縦材の長手方向に沿ってそれぞれに延在し、当該空間側に向けて突出するように当該２本の縦材に溶接され、金属製の平板からなる２枚の縦取付片と、
前記空間を囲む前記２本の横材の長手方向に沿ってそれぞれに延在し、当該空間側に向けて突出するように当該２本の横材に溶接され、金属製の平板からなる２枚の横取付片と、
正面視で、前記縦取付片及び横取付片の延在する方向に亘って当該縦取付片及び横取付片と前記パネル体の外周部とが当接している部分において、前記縦取付片又は前記横取付片と前記パネル体とを機械的に固定する固定手段とを備えることを特徴とするガードフェンス。
【請求項２】
前記パネル体の外周部に貫通孔が形成され、
前記縦取付片及び前記横取付片にそれぞれ貫通孔が形成され、
前記固定手段は、
前記パネル体の貫通孔と前記取付片の貫通孔とにそれぞれ挿通された複数の締結ボルトと、
前記複数の締結ボルトにそれぞれ螺合された締結ナットとからなることを特徴とする請求項１に記載のガードフェンス。
【考案の詳細な説明】
【技術分野】
【０００１】
本考案は、ガードフェンス、特にパネル体が交換可能なガードフェンスに関する。
【背景技術】
【０００２】
従来から、人が入り込まないように、工事現場及び施工現場などの周囲に仮囲いとしてガードフェンス（防護柵）が設置されている。
【０００３】
このようなガードフェンスは、特許文献１に記載のように、一対の縦枠材（縦材）とこれを横方向に連結する複数の横枠材（横材）とからなる枠体の内側に複数の取付体が固定されており、この取付体にネジ等の取付具を介して金属製の標示板（パネル体）が取り付けられる。
【０００４】
しかし、標示体の１辺に対して取付体は３，４個程度の少数個しか設けられておらず、標示体は交換作業を考慮して薄い金属板からなるので、取付体の設置箇所の中間部では、枠体と標示体との間に隙間が生じる。そのため、ガードフェンスを移動するなどの際に、この隙間に指を挟み込み、怪我などをするおそれがある。
【０００５】
そこで、特許文献１に記載の技術では、枠体と標示板との隙間に、弾力性があるスポンジ状等の材質からなる隙間体を装着して、隙間に指が挿入しないようにしている。
【先行技術文献】
【特許文献】
【０００６】
【特許文献１】登録実用新案公報第３１９１７４８号公報
【考案の概要】
【考案が解決しようとする課題】
【０００７】
しかしながら、特許文献１に記載の技術では、標示板を取り付ける際、取付体に載置して支持して位置合わせするが、標示体は小さな取付片の箇所でしか支持されないので、撓むなどして標示体が枠体に安定的に支持されず、位置合わせが困難である。
【０００８】
さらに、通常のガードフェンスのように標示体を枠体の取り付ける作業に加えて、隙間体を装着する作業を必要とするので、取付時の作業が増加する。また、標示体を交換する際も、隙間体の取り外し及び再装着をする作業が必要となるので、交換時の作業も増加する。
【０００９】
本考案は、以上の点に鑑み、枠体とパネル体との隙間が閉塞されており、且つ、取り付け時に枠体にパネル体を安定的に支持でき、枠体へのパネル体の取付作業及びパネル体の交換作業が通常と比較して増加しないガードフェンスを提供することを目的とする。
【課題を解決するための手段】
【００１０】
本考案は、複数の上下方向に延びる金属製の縦材と、前記複数の縦材の間を左右方向に亘るように固定された複数の金属製の横材とから構成され、内側部に正面視で２本の前記縦材と２本の前記横材とで囲まれた矩形状の空間を少なくとも１つ有する枠体と、正面視で矩形状のパネル体と、前記空間を囲む前記２本の縦材の長手方向に沿ってそれぞれに延在し、当該空間側に向けて突出するように当該２本の縦材に溶接され、金属製の平板からなる２枚の縦取付片と、前記空間を囲む前記２本の横材の長手方向に沿ってそれぞれに延在し、当該空間側に向けて突出するように当該２本の横材に溶接され、金属製の平板からなる２枚の横取付片と、正面視で、前記縦取付片及び横取付片の延在する方向に亘って当該縦取付片及び横取付片と前記パネル体の外周部とが当接している部分において、前記縦取付片又は前記横取付片と前記パネル体とを機械的に固定する固定手段とを備えることを特徴とする。
【００１１】
本考案によれば、枠体が有する矩形状の空間を囲む２本の縦材及び２本の横材のそれぞれに、当該２本の縦材及び２本の横材の長手方向に亘って延在し且つ当該空間側に突出するように縦取付片及び横取付片が溶接されている。そして、これら縦取付片又は横取付片にパネル体が固定手段で機械的に固定されている。
【００１２】
これにより、縦取付片及び横取付片が溶接されている枠体に対して、従来と同様にパネル体を固定手段で固定するだけで、枠体とパネル体との隙間が、正面視において縦取付片及び横取付片によって閉塞される。そのため、前記隙間に指が挟まり込み、怪我などをするおそれの解消を図ることが可能となる。なお、パネル体が配置される空間の位置は限定されず、パネル体が配置されない空間には例えば金網を張ればよい。
【００１３】
さらに、枠体にパネル体を取り付ける際、枠体に溶接された縦取付片及び横取付片の延在する方向に亘ってパネル体の外周部が当接しているので、パネル体は撓むことなく安定的に縦取付片及び横取付片上に載置される。これにより、枠体に対するパネル体の位置合わせも容易になる。
【００１４】
よって、枠体へのパネル体の取り付けが従来に比べて容易となる。さらに、上記特許文献１に記載のように枠体へのパネル体の取り付け後に隙間体を装着する必要がないので、取付作業、さらにはパネル体の交換作業が増加しない。
【００１５】
本考案において、前記パネル体の外周部に貫通孔が形成され、前記縦取付片及び前記横取付片にそれぞれ貫通孔が形成され、前記固定手段は、前記パネル体の貫通孔と前記取付片の貫通孔とにそれぞれ挿通された複数の締結ボルトと、前記複数の締結ボルトにそれぞれ螺合された締結ナットとからなることが好ましい。
【００１６】
この場合、固定手段が締結ボルトと締結ナットとからなるので、枠体に対するパネル体の固定及びその解除が容易である。
【図面の簡単な説明】
【００１７】
【図１】本考案の一実施形態に係るガードフェンスの正面図。
【図２】ガードフェンスの正面図の一部拡大図。
【図３】図２のIII−III線断面。
【図４】他の固定手段を示す図。
【考案を実施するための形態】
【００１８】
本考案の一実施形態に係るガードフェンス１０について図１から図３を参照して説明する。
【００１９】
ガードフェンス１０は、上下方向に延びる２本の縦材１と左右方向に延びる３本の横材２とが溶接で連結され、２本の縦材１及び２本の横材２で外周をそれぞれ取り囲まれた上下２か所の空間を有する枠体３と、枠体３の下部に形成された空間を覆うように枠体３に取り付けられたパネル体４とを備えている。
【００２０】
２本の縦材１はガードフェンス１０の支柱であり、各縦材１の下端部には支柱固定部が取り付けられている。
【００２１】
３本の横材２は、上下方向に間隔を隔てて水平に配置され、２本の縦材１の間をそれぞれ連結している。下部と中間に配置された２本の横材２と２本の縦材１との内側に形成される矩形状の空間を覆うように、枠体３にパネル体４が取り付けられている。
【００２２】
上部と中間に配置された２本の横材２と２本の縦材１との内側に形成される矩形状の空間に、金網５が張られている。ここでは、金網５は、金属線を菱形に編み合わせた菱形金網である。ただし、金網５は、金属線を亀甲状に編み合わせた亀甲金網、金属線を編目の接点で溶接した溶接金網、金属板を金型で打抜いたパンチングメタル、金属板を冷間切延法により菱形、亀甲状の網目を形成したエキスパンドメタルなどであってもよい。また、金網５は、金属線を正方形、長方形に編み合わせたものであってもよい。
【００２３】
さらに、金網５は、金属線にナイロン、ポリプロピレンなどの樹脂を被膜した樹脂被膜金属線、あるいはナイロン、ポリプロピレンなどからなる樹脂線を編み合わせたものであってもよい。
【００２４】
縦材１及び横材２は、鋼管、ステンレス鋼管、アルミニウム管などの金属製の丸管、角管であることが好ましいが、鋼、ステンレス鋼、アルミニウムなどの金属板を曲げ加工又はプレス加工して丸管状又は角管状にしたものであってもよい。縦材１及び横材２は、鋼、ステンレス鋼、アルミニウムなどの金属を押出成形したものであってもよい。
【００２５】
ここでは、縦材１及び横材２は共に丸鋼管であり、縦材１の直径は横材２の直径よりも大きいか同等である。そして、２本の縦材１の間に挟まるように横材２が溶接されている。
【００２６】
パネル体４は、正面視で矩形状の薄板状のものである。パネル体４は、金属板であっても、硬質プラスチック板であっても、金属板にプラスチック板を張り合わせて積層させたものであってもよい。パネル体４は、厚さが薄くて容易にしなるものであってもよい。
【００２７】
パネル体４の各外周部４ａは、平板状であり、枠体３に取り付けるために複数の貫通孔４ｂが形成されている。ここでは、外周部４ａの上辺及び下辺のそれぞれの左右方向端部付近及び中央部に貫通孔４ｂが形成されている。また、外周部４ａの右辺及び左辺のそれぞれの上下方向端部付近及び中央部にも貫通孔４ｂが形成されている。
【００２８】
パネル体４には、「安全第一」などの標語、施工会社名、工事主体名、施工物件名などが標示されており、施工現場又は工事現場などに応じて交換され得る。また、パネル体４の外周部４ａの内側部分は、湾曲部を有していても、孔などによって模様が形成されていても、装飾物が取り付けられていてもよい。パネル体４は、既存のものを用いればよい。
【００２９】
２本の縦材１には、それぞれの長手方向の略全体に亘って前記空間側に突出して延在するように、縦取付片６が溶接されている。
【００３０】
縦取付片６は、鋼、ステンレス鋼、アルミニウムなどの金属からなる平板状であり、前記空間の上下方向長さと比較して少し短い長さとなっている。縦取付片６の幅は、当該取付片６がパネル体４の外周部４ａと重なるような幅となっている。縦取付片６は、縦材１に対して、その前後方向の中央部に溶接されている。
【００３１】
縦取付片６には、パネル体４の左右部分の外周部４ａに形成された貫通孔４ｂに対応する位置に貫通孔６ａが形成されている。ここでは、縦取付片６の長手方向（上下方向）の両端部付近及び中央部に貫通孔６ａが形成されている。これにより、枠体３に固定されたとき、パネル体４の上左右端部が垂れ下がることを防止できる。
【００３２】
下部と中間に配置された２本の横材２には、それぞれの長手方向の左右両端の縦取付片６が近接する部分を除いて、略全体に亘って前記空間側に突出して延在するように、横取付片７が溶接されている。
【００３３】
横取付片７は、鋼、ステンレス鋼、アルミニウムなどの金属からなる平板状であり、前記空間の幅に比較して少し短い長さとなっている。横取付片７の幅は、当該取付片６がパネル体４の外周部４ａと重なるような幅となっている。横取付片７は、横材２に対して、その前後方向の中央部に位置するように溶接されている。
【００３４】
横取付片７には、パネル体４の上下部分の外周部４ａに形成された貫通孔４ｂに対応する位置に貫通孔７ａが形成されている。ここでは、横取付片７の長手方向（左右方向）の両端部付近及び中央部に貫通孔７ａが形成されている。これにより、枠体３に固定されたとき、パネル体４の上左右端部が垂れ下がることを防止できる。
【００３５】
縦取付片６及び横取付片７は、全体として大略平板状であるが、突起、窪み、貫通孔６ａ，７ａ以外の孔などを有していてもよい。
【００３６】
なお、縦取付片６及び横取付片７がそれぞれ溶接された縦材１及び横材２から構成される枠体３全体に、金属めっき又は塗装を施してもよい。
【００３７】
各縦取付片６及び横取付片７の延在する方向に亘って当該縦取付片６及び横取付片７の表面とパネル体４の外周部４ａの裏面とは当接しており、この当接部分において縦取付片６又は横取付片７とパネル体４とが機械的な固定手段によって固定されている。
【００３８】
ここでは、固定手段は、締結ボルト８及び締結ナット９から構成されている。具体的には、パネル体４の貫通孔４ｂと各縦取付片６及び横取付片７の貫通孔６ａ，７ａとはそれぞれ締結ボルト８によって挿通されており、各締結ボルト８にはそれぞれ締結ナット９が螺合されている。
【００３９】
ガードフェンス１０においては、枠体３とパネル体４との隙間が、正面視において略全体に亘って縦取付片６又は横取付片７によって閉塞されている。よって、前記隙間に指が挟まり込み、怪我などをするおそれの解消を図ることが可能となる。
【００４０】
以上のように構成されたガードフェンス１０においてパネル体４を枠体３に取り付ける工程について説明する。
【００４１】
まず、パネル体４が取り付けられていない枠体３を、パネル体４が取り付けられる面を上にした状態で略水平な場所に置く。
【００４２】
そして、この枠体３の上にパネル体４を載置する。具体的には、縦取付片６及び横取付片７の上にパネル体４の外周部４ａを載置する。これにより、パネル体４の外周部４ａが略全周に亘って当接する縦取付片６又は横取付片７によって支持されるので、パネル体４は撓まずに安定的に枠体３上に載置される。
【００４３】
次に、パネル体４の各貫通孔４ｂの位置が縦取付片６の各貫通孔６ａ又は横取付片７の各貫通孔７ａの位置にそれぞれ合うように位置合わせを行う。この位置合わせの際も、パネル体４が撓まずに安定的に枠体３上に載置されているので、位置合わせが容易である。
【００４４】
最後に、パネル体４の各貫通孔４ｂと貫通孔６ａ，７ａとにそれぞれ締結ボルト８を挿通し、この締結ボルト８に締結ナット９を螺合させて固定する。これにより、枠体３にパネル体４が取り付けられる。
【００４５】
このように、ガードフェンス１０においては、予め縦取付片６及び横取付片７が溶接されている枠体３に対して、通常のガードフェンスと同じように、締結ボルト８及び締結ナット９によってパネル体４を取り付けるだけで隙間を閉塞することができる。そのため、上記特許文献１に記載の技術のように隙間体を装着する作業を必要としない。さらに、枠体３へパネル体４の取付作業及びパネル体４の交換作業も、通常のガードフェンスと同様に行うことができる。
【００４６】
以上、本考案の一実施形態について図面を参照して説明したが、本考案はこれに限定されない。
【００４７】
例えば、実施形態では、枠体３の下部に形成された空間を覆うようにパネル体４が取り付けられ、枠体３の上部に形成された空間に金網５が張られているガードフェンス１０について説明した。しかし、これに限定されず、例えば、枠体３の上部に形成された空間を覆うようにパネル体４が取り付けられているものであってもよい。
【００４８】
さらに、３本の縦材１及び６本の横材２とから枠体３がなり、枠体３の下部に形成された２つの空間をそれぞれ覆うようにパネル体４が取り付けられ、枠体３の上部に形成された２つの空間にそれぞれ金網５が張られているものであってもよい。さらに、２本の縦材１及び２本の横材２とから枠体３がなり、枠体３に形成された唯一の空間を覆うようにパネル体４が取り付けられているものであってもよい。
【００４９】
また、２本の縦材１及び４本の横材２とから枠体３がなり、３つの空間の少なくも１つを覆うようにパネル体４が取り付けられ、残りの空間に金網５が張られているものであってもよい。このように、縦材１及び横材２の本数及びその組み合わせは限定されない。
【００５０】
さらに、パネル体４が覆う空間以外の空間は、金網５が張られているものに限定されず、空間のままであるものであっても、ビニールシートなどで覆われるものであってもよい。さらに、作業員などが通るための扉を備えたガードフェンスであってもよい。
【００５１】
また、固定手段が締結ボルト８及び締結ナット９から構成されている場合について説明した。しかし、固定手段は、枠体３とパネル体４とを取り外し可能に固定可能なものであれば、これに限定されない。
【００５２】
例えば、図４に示すように、固定手段は、縦取付片６又は横取付片７の貫通孔６ａ，７ａとパネル体４の貫通孔４ｂとを挿通するリベット１１をかしめたものであってもよい。
【符号の説明】
【００５３】
１…縦材、  ２…横材、  ３…枠材、  ４…パネル体、  ４ａ…外周部、  ４ｂ…貫通孔、  ５…金網、  ６…縦取付片、  ６ａ…貫通孔、  ７…横取付片、  ７ａ…貫通孔、８…締結ボルト（固定手段）、  ９…締結ナット（固定手段）、  １１…リベット（固定手段）。
【図１】
0003200684.tif 000003
【図２】
0003200684.tif 000004
【図３】
0003200684.tif 000005
【図４】
0003200684.tif 000006